(57)【要約】      （修正有）【課題】構造がシンプルで組立てが容易であり、掲示物を安定して挟持できるフォトフレームを提供する。【解決手段】透明アクリルプレートからなる表面側矩形ボードと裏面側矩形ボードとに写真などの掲示物を挟持し、該表面側矩形ボードと裏面側矩形ボードとを合わせた周縁部にアルミ等の軽金属からなる断面コ状の４辺のフレームを嵌着してなる。該周縁部に凹条が形成されており、該凹条に断面コ状のフレームの内側に形成された凸条が嵌着される。裏面側矩形ボードの内側に粘着材を介してウレタンスポンジが貼着され、又は、表面側矩形ボードの４辺のうちの１辺乃至複数辺の表面側エッジが面取りされている。【選択図】図１
0003176267.tif 000002
【実用新案登録請求の範囲】
【請求項１】
透明アクリルプレートからなる表面側矩形ボードと裏面側矩形ボードとに写真などの掲示物を挟持し、該表面側矩形ボードと裏面側矩形ボードとを合わせた周縁部にアルミ等の軽金属からなる断面コ状の４辺のフレームを嵌着してなることを特徴とするフォトフレーム。
【請求項２】
表面側矩形ボードと裏面側矩形ボードとの周縁部に凹条が形成されており、該凹条に断面コ状のフレームの内側に形成された凸条が嵌着されることを特徴とする請求項１記載のフォトフレーム。
【請求項３】
表面側矩形ボードと裏面側矩形ボードとの間に掲示物を挟持し、裏面側矩形ボードの内側に粘着材を介してウレタンスポンジが貼着されていることを特徴とする請求項１記載のフォトフレーム。
【請求項４】
表面側矩形ボードの４辺のうちの１辺乃至複数辺の表面側エッジが面取りされていることを特徴とする請求項１記載のフォトフレーム。
【考案の詳細な説明】
【技術分野】
【０００１】  本考案はフォトフレームに関し、透明アクリルプレートからなる表面側矩形ボードと裏面側矩形ボードとに写真などの掲示物を挟持し、該表面側矩形ボードと裏面側矩形ボードとを合わせた周縁部にアルミ等の軽金属からなる断面コ状の４辺のフレームを嵌着してなるフォトフレームであって、特に構造がシンプルで組立てが容易であり、掲示物を安定して挟持できるフォトフレームである。
【背景技術】
【０００２】  一般的に、フォトフレームに関する発明や考案は数多く提案されており、最近の引用公報としては、例えば特開２００８−１６８０４０号公報を挙げることができる。【０００３】  特開２００８−１６８０４０号公報の内容ではフォトフレームを机上に設置する場合でも壁のフックに引掛けた場合でも横方向又は縦方向に設置できることが開示されている。【０００４】
【特許文献１】  特開２００８−１６８０４０号公報
【考案の開示】
【考案が解決しようとする課題】
【０００５】  引用文献１の特開２００８−１６８０４０号公報では、フォトフレームを机上に設置する場合でも壁のフックに引掛けた場合でも横方向又は縦方向に設置できることが開示されているが、表板および裏板の四隅を貫通する貫通孔に表面よりボルトが挿入され、裏板側のナットに螺合されている。【０００６】  そして長尺ナットの先端に弾性ゴム部材が嵌着されており、更に裏板にフック受部材が付設されており、部品数が多く、これらの部品の装着作業性にも手間がかかるという問題があった。【０００７】  また、展示物のセッティング修正や取替え時においては、その都度、四隅のボルト及びナットを取り外さなければならず、ボルトの頭もフレームの四隅の表面に露出しているので、これらの作業中にフレームを損傷し易いものであった。【０００８】    これに対して本考案の課題は、特に構造がシンプルで組立てが容易であり、掲示物を安定して挟持できるフォトフレームを提供することである。
【課題を解決するための手段】
【０００９】  このような課題を解決するために鋭意研究の結果、創案された本考案のフォトフレームは、透明アクリルプレートからなる表面側矩形ボードと裏面側矩形ボードとに写真などの掲示物を挟持し、該表面側矩形ボードと裏面側矩形ボードとを合わせた周縁部にアルミ等の軽金属からなる断面コ状の４辺のフレームを嵌着してなることを特徴とし、表面側矩形ボードと裏面側矩形ボードとの周縁部に凹条が形成されており、該凹条に断面コ状のフレームの内側に形成された凸条が嵌着されることを特徴とし、表面側矩形ボードと裏面側矩形ボードとの間に掲示物を挟持し、裏面側矩形ボードの内側に両面粘着テープを介してウレタンスポンジが貼着されていることを特徴とし、且つ、表面側矩形ボードの４辺のうちの１辺乃至複数辺の表面側エッジが面取りされていることを特徴とするフォトフレームを提供する。
【考案の効果】
【００１０】    以上説明したような本考案のフォトフレームでは、特に構造がシンプルで組立てが容易であり、掲示物を安定して挟持できるフォトフレームである。
【図面の簡単な説明】
【００１１】
【図１】  本考案に係るフォトフレームの正面図である。
【図２】  矩形ボードの正面図である。
【図３】  図１のＡ−Ａ線断面図である。
【図４】  フレームの嵌着状況を示すフォトフレームの正面図である。
【図５】  図１のＢ−Ｂ線断面図である。
【考案を実施するための最良の形態】
【００１２】  以下、図面に基づいて、本考案を実施するための最良の形態を具体的に説明する。【００１３】  図１に示すように、本考案のフォトフレームは、透明アクリルプレートからなる表面側矩形ボード５と裏面側矩形ボード８とに写真などの掲示物６を挟持し、該表面側矩形ボード５と裏面側矩形ボード８とを合わせた周縁部にアルミ等の軽金属からなる断面コ状の４辺のフレーム１、２、３、４が嵌着されている。【００１４】  図２に示すように、表面側矩形ボード５の周縁部に凹条５１が形成されており、図３の断面に示すように、裏面側矩形ボード８の周縁部に凹条８１が形成されている。【００１５】  図３に示すように、表面側矩形ボード５の周縁部に形成された凹条５１には、断面コ状のフレーム１の内側に形成された凸条１１と、断面コ状のフレーム３の内側に形成された凸条３１が嵌着されている。【００１６】  また、図３に示すように、裏面側矩形ボード８の周縁部に形成された凹条８１には、断面コ状のフレーム１の内側に形成された凸条１２と、断面コ状のフレーム３の内側に形成された凸条３２が嵌着されている。【００１７】  図３乃至図５に示すように、表面側矩形ボード５と裏面側矩形ボード８との間に掲示物６が挟持され、裏面側矩形ボード８の内側に粘着材７１を介してウレタンスポンジ７が貼着されている。【００１８】  前記せるウレタンスポンジ７の弾力性に抗して各フレーム１、２、３、４が嵌着されているので、この弾力性によって表面側矩形ボード５と裏面側矩形ボードとの周縁部に嵌着された各フレーム１、２、３、４が弛んで脱落することが防止されている。【００１９】  図５の面トリ部５２に示すように、表面側矩形ボード５の４辺のうちの１辺乃至複数辺の表面側エッジが面取りされている。【００２０】  図４に示すように、表面側矩形ボード５と裏面側矩形ボード８との周縁部に嵌着される場合、フレーム２は矢印Ｅ方向にスライドさせて容易に嵌着され、フレーム１は矢印Ｃ方向にスライドさせて容易に嵌着され、フレーム３は矢印Ｄ方向にスライドさせて容易に嵌着することができる。【００２１】  前記せるフレーム１、２、３をスライドさせる順序は作業のし易い順序で行うことができる。【００２２】  図４に示す残りのフレーム４は、図５に示すようにフレーム４の凸条４２を裏面側矩形ボード８の凹条８１に当接し、矢印Ｆのように回しこめば表面側矩形ボード５の凹条５１にフレーム４の凸条４１を極めて容易にスナップ嵌めすることができる。【００２３】  すなわち、前述したように、表面側矩形ボードの表面側エッジが面取り部５２で示すように面取りされているのでフレーム４を極めて容易に装着することができる。【０００２４】  また、掲示物６を取り替える場合でもフレーム４の着脱は前記せるような構造であるので極めて容易に行うことができる。
【符号の説明】
【００２６】  １    フレーム
１１    凸条
１２    凸条
２    フレーム
２１    凸条
２２    凸条
３    フレーム
３１    凸条
３２    凸条
４    フレーム
４１    凸条
４２    凸条
５    表面側矩形ボード
５１    凹条
５２    面取り部
６    掲示物
７    ウレタンスポンジ
７１    粘着材
８    裏面側矩形ボード
８１    凹条
【図１】
0003176267.tif 000003
【図２】
0003176267.tif 000004
【図３】
0003176267.tif 000005
【図４】
0003176267.tif 000006
【図５】
0003176267.tif 000007